(57)【特許請求の範囲】
【請求項１】
左右１対の支柱の下部に設けた前後方向を向く中空状のベース脚の上部に、ベース棚を、その前端部をベース脚の前端より前方に突出させて載設してなる商品陳列棚において、
前記ベース棚の後端部下方に、左右方向を向く係合片をベース棚の下面より下方に離間するようにして設け、かつこの係合片と対向するベース脚の上面に係合孔を穿設し、この係合孔に、起立片を有する係止具の下端部を、前後方向に移動可能かつ前方への移動時に、前記係合孔の前縁に係合し、同じく後方への移動時に、係合孔の前後の縁に係合しうるようにして装着し、かつ前記起立片の上部に、後端が起立片の上縁または後縁に開口する水平溝部の前端に垂下溝部が連設され、前記係合片が水平溝部を通って垂下溝部に係合しうるようにした側面視下向き鉤形の係合溝を設け、前記係合片が垂下溝部に係合した状態で、ベース棚がベース脚上に載置されるようにしたことを特徴とする商品陳列棚。
【請求項２】
係合孔を前後方向を向く方形とするとともに、係止具を、係合孔内に嵌合されて、その前後の開口縁部下面に係合可能な方形の基片と、その左右の両側縁より、基片の上面との間にスリットが形成されるようにして起立するとともに、上端部に係合溝を備える左右１対の起立片とからなるものとした請求項１記載の商品陳列棚。
【請求項３】
係合片を、ベース棚の下面より垂下し、かつ上部に係止孔が穿設された係合板の下部により形成し、前記係止孔が、係合溝における垂下溝部の上方を塞ぐ後向き突部に遊嵌可能とした請求項１または２記載の商品陳列棚。
【請求項４】
係合片を、ベース棚の下面より垂下する垂下片の下端に連設された前向水平片の前端に、下方に向けて連設した請求項１または２記載の商品陳列棚。
【請求項５】
係止具を後限まで移動したとき、ベース棚の後端が、支柱の前面と当接または近接するようにしてなる請求項１〜４のいずれかに記載の商品陳列棚。
【請求項６】
ベース棚の左右両側端に側片を下向きに突設し、この両側片の内側面に、係合片を内向き突設した請求項１〜５のいずれかに記載の商品陳列棚。
【発明の詳細な説明】
【０００１】
【発明の属する技術分野】
本発明は、スーパーマーケットやホームセンタ等において使用される商品陳列棚に係り、特に、ベース棚を、ベース脚の前方に突出させてなる商品陳列棚に関する。
【０００２】
【従来の技術】
商品の陳列スペースを拡大するために、ベース棚を、支柱の下端部のベース棚や、支柱に取付けたブラケットより前方に突出させて載置すると、客が過まってベース棚の前端部に足を載せたりすると、ベース棚の後端部が跳ね上がり、商品を落下させることがある。
【０００３】
このようなことのないように、従来は、例えば特許第２９５１１０４号公報に記載されているように、棚板の下面に形成したＬ字状の突起を、ブラケットの上面に形成したほぼＬ字状の凹部に嵌合し、棚板が上方および前後方向に移動するのを規制するようにしたものがある。
【０００４】
【発明が解決しようとする課題】
しかし、上述した従来技術のものでは、Ｌ字状の突起を、凹部の下段側に落とし込むべく、棚板を前方に引き出した際に、支柱と棚板との間に隙間が形成されるため、棚板に、その組立順序と反対方向の力、すなわち上向きかつ後向きの力が作用すると、ブラケットより外れる恐れがある。
【０００５】
上記従来技術を、ベース脚と、それに載置されるベース棚とに適用した際にも、同様の問題が生じる。
【０００６】
本発明は、上記問題に鑑みてなされたもので、簡単な手段で、ベース棚の後端部の跳ね上がりを防止して、ベース脚を、前方に安定して突出させうるようにした商品陳列棚を提供することを目的としている。
【０００７】
【課題を解決するための手段】
本発明によると、上記課題は、次のようにして解決される。
（１）左右１対の支柱の下部に設けた前後方向を向く中空状のベース脚の上部に、ベース棚を、その前端部をベース脚の前端より前方に突出させて載設してなる商品陳列棚において、前記ベース棚の後端部下方に、左右方向を向く係合片をベース棚の下面より下方に離間するようにして設け、かつこの係合片と対向するベース脚の上面に係合孔を穿設し、この係合孔に、起立片を有する係止具の下端部を、前後方向に移動可能かつ前方への移動時に、前記係合孔の前縁に係合し、同じく後方への移動時に、係合孔の前後の縁に係合しうるようにして装着し、かつ前記起立片の上部に、後端が起立片の上縁または後縁に開口する水平溝部の前端に垂下溝部が連設され、前記係合片が水平溝部を通って垂下溝部に係合しうるようにした側面視下向き鉤形の係合溝を設け、前記係合片が垂下溝部に係合した状態で、ベース棚がベース脚上に載置されるようにする。
【０００８】
（２）上記(１)項において、係合孔を前後方向を向く方形とするとともに、係止具を、係合孔内に嵌合されて、その前後の開口縁部下面に係合可能な方形の基片と、その左右の両側縁より、基片の上面との間にスリットが形成されるようにして起立するとともに、上端部に係合溝を備える左右１対の起立片とからなるものとする。
【０００９】
（３）上記(１)または(２)項において、係合片を、ベース棚の下面より垂下し、かつ上部に係止孔が穿設された係合板の下部により形成し、前記係止孔が、係合溝における垂下溝部の上方を塞ぐ後向き突部に遊嵌可能とする。
【００１０】
（４）上記(１)または(２)項において、係合片を、ベース棚の下面より垂下する垂下片の下端に連設された前向水平片の前端に、下方に向けて連設する。
【００１１】
（５）上記(１)〜(４)項のいずれかにおいて、係止具を後限まで移動したとき、ベース棚の後端が、支柱の前面と当接または近接するようにする。
【００１２】
（６）上記(１)〜(５)項のいずれかにおいて、ベース棚の左右両側端に側片を下向きに突設し、この両側片の内側面に、係合片を内向き突設する。
【００１３】
【発明の実施の形態】
以下、本発明の実施形態を、図面に基づいて説明する。
図１は、本発明の商品陳列棚(１)の分解斜視図を示すもので、左右１対の角筒状をなす支柱(２)(２)の下端には、前後方向を向く角筒状のベース脚(３)(３)の後端が固着されている。
【００１４】
各支柱(２)の前面には、図示しない棚板支持用のブラケットの後端が係合可能な係止孔(４)が、上下方向に多数列設されている。
【００１５】
左右のベース脚(３)の前後の下端には、高さ調節用のアジャスタ(５)が取付けられている。
【００１６】
左右の支柱(２)の上下の端部同士は、それぞれ上部連結杆(６)と下部連結杆(７)とにより結合されている。
【００１７】
両ベース脚(３)の前端部の対向面には、上下２個ずつの係止孔(８)が穿設され、それらの係止孔(８)には、キックプレート(９)の左右両端に突設した下向鉤状の係止爪(10)が係合されるようになっている。
【００１８】
上記上下の連結杆(６)(７)の対向面の中央部には、左右方向を向く凹溝(11)が形成され、両凹溝(11)には、後面板(12)の上下の端部が嵌合され、左右の支柱(２)と上下の連結杆(６)(７)とにより囲まれた空間が塞がれている。
【００１９】
(13)は、方形をなすベース棚で、その左右寸法は、左右のベース脚(３)の側面間の寸法と同等、もしくは若干大きく、かつ前後寸法は、ベース脚(３)の支柱(２)よりの突出寸法よりも所要寸法大とされている。
【００２０】
ベース棚(３)の４辺の周縁には、下向きの側片(13b)が連設され、また後端の左右の隅部には、両支柱(２)の前面と内側面に当接可能な平面視Ｌ字状の切欠部(14)(14)が形成されている。
上記左右の側片(13a)の内側面は、後記する係止金具(19)の外方の起立片(19b)と近接するようになっている。
【００２１】
図２に示すように、ベース棚(13)の左右の両側端部下面（左右対称につき、左方は図示略）におけるベース脚(３)と対向する位置には、ベース棚(13)の前後寸法よりも若干短寸をなす正面視倒立Ｌ字状の補強板(15)が、その前端が前部の側片(13a)の後面と近接するようにして、スポット溶接により固着されている。
【００２２】
上記補強板(15)の後端には、図４に示すように、垂下片(16a)の下端に、後記する係止金具(19)に係合可能な内向きの係合片(16b)が一体形成された後面視Ｌ字形の係合板(16)が、下向きに直角に連設され、垂下片(16a)の内側端と係合片(16b)の上端、及び補強板(15)の下面とその垂下側片(15a)の外面により囲まれた方形の空間は、係止孔(17)となっている。
【００２３】
(18)は、ベース棚(13)の下面の中央部にスポット溶接された左右方向を向く補強部材である。
【００２４】
図３に拡大して示すように、左右のベース脚(３)（左右同一構造につき、一方のみ図示する）の上面の後端部寄りには、係止金具(19)が装着可能な前後方向を向く方形の係合孔(20)が穿設されている。
【００２５】
上記係止金具(19)は、図４にも拡大して示すように、係合孔(20)内にがたなく挿入可能な水平かつ前後方向に長い方形の基片(19a)と、その左右の側縁のやや後方寄りに上向きに連設された左右１対の起立片(19b)(19b)とからなり、両起立片(19b)の上端部の中央には、起立片(19b)の上縁に開口する垂直溝部(21a)と、その下端と連続する前向きの水平溝部(21b)と、この水平溝部(21b)の前端と連続する下向きの垂下溝部(21c)とからなる階段状の係合溝(21)(21)が形成され、垂下溝部(21c)の上方は、後向きの係止突部(22)により庇状に塞がれている。
【００２６】
上記両起立片(19b)の下端前部と基片(19a)の前端部との間には、ベース脚(３)の係合孔(20)の前縁部に係合可能な、前方が開口されたスリット(23)が、また同じく、両起立片(19b)の下端後部と基片(19a)の後端との間には、係合孔(20)の後縁部に係合可能な、後方が開口された短寸のスリット(24)が、それぞれ形成されている。
【００２７】
なお、両スリット(23)(24)と係合孔(20)との関係は、係止金具(19)を前方に移動させて、前部側のスリット(23)を係合孔(20)の前縁部に最大限係合したとき、後部側のスリット(24)と係合孔(20)の後縁部との係合が外れ（図５参照）、かつ係止金具(19)を後方に移動させて、後部側のスリット(24)を係合孔(20)の後縁部に最大限係合したとき、前部側のスリット(23)が係合孔(20)の前縁部より離脱することなく（図６参照）、両スリット(23)(24)が共に係合孔(20)の前後の縁部に係合しうるように設定されている。
【００２８】
図４に示すように、係止金具(19)における両起立片(19b)間の離間寸法を、係合板(16)に形成した係止孔(17)の左右寸法よりも若干小さくすることにより、両起立片(19b)における係止突部(22)に係止孔(17)が遊嵌されるようになっている。
【００２９】
また、係合溝(21)の水平溝部(21b)の溝幅は、係合板(16)の係合片(16b)が前後に移動しうる寸法とされ、係合板(16)を、垂直溝部(21a)と水平溝部(21b)を通して、垂下溝部(21c)内に落とし込めるようにしてある（図４の２点鎖線示参照）。
【００３０】
ベース棚(13)をベース脚(３)の上部に取付けるには、図５に示すように、まず左右のベース脚(３)における係合孔(20)に、係止金具(19)の基片(19a)を挿入して前方に移動させ、前部側のスリット(23)を係合孔(20)の前縁部に最大限係合させる。
【００３１】
ついで、ベース棚(13)を両ベース脚(３)の上部に載せ、左右の係合板(16)の係合片(16b)を、左右の係止金具(19)における両起立片(19b)の係合溝(21)の垂直溝部(21a)に挿入したのち、ベース棚(13)を若干前方に引き、両起立片(19b)の係止突部(22)を係止孔(17)に挿通させることにより、係合片(16b)を、係合溝(21)の垂下溝部(21c)内に落とし込む。
【００３２】
図５はこの状態を示すもので、ベース棚(13)における切欠部(14)の後端と支柱(２)の前面との間には、上記ベース棚(13)を前方に引いた分の隙間、もしくはそれよりも若干大きな隙間が形成されるようになっている。
【００３３】
図５の状態において、万一ベース棚(13)の突出端部に足を載せるなどしても、係合片(16b)は、係止突部(22)の下方において垂下溝部(21c)内に位置しており、かつ係止金具(19)の前部側のスリット(23)は、係合孔(20)の前縁部に深く係合しているので、ベース棚(13)の後端部が妄りに跳ね上がる恐れは小さい。
【００３４】
図５に示す状態から、ベース棚(13)を、その切欠部(14)の後端が支柱(２)の前面と当接または近接するまで後方に向かって押動すると、図６に示すように、係合片(16b)と、係合溝(21)の垂下溝部(21c)とは係合関係にあるので、係止金具(19)もベース棚(13)と共に後方にスライドし、その後部側のスリット(24)が係合孔(20)の後縁部と係合する。
【００３５】
これにより、係止金具(19)の前後の両スリット(23)(24)が、共に係合孔(20)の前後の縁部と係合し、かつ係合片(16b)は、上方が係止突部(22)により塞がれている垂下溝部(21c)内に位置しているため、ベース棚(13)の後端部の跳ね上がりは確実に防止される。また、係止金具(19)を後方に移動させた状態では、ベース棚(13)の切欠部(14)が支柱(２)の前面と近接または当接し、それ以上後方に移動し得ないため、係合片(16b)が垂下溝部(21c)より離脱することはない。
本発明は、上記実施形態に限定されるものではない。
【００３６】
上記実施形態では、補強板(15)を正面視倒立Ｌ字形とし、その後端に、後面視Ｌ字状をなす係合板(16)を下向きに折曲することにより、係止金具(19)の係合溝(21)に嵌合される係合片(16b)を形成しているが、例えば図７に示すように、平板状の補強板(25)の後端部を下方に向けて折曲して、係合板(25a)を形成し、その係合板(25a)の上部に、係止金具(19)の係止突部(22)に遊嵌しうる方形の係止孔(26)を穿設し、その係止孔(26)の下方の部分を、係合溝(21)に係合可能な係止片(25b)としてもよい。
【００３７】
上記実施形態では、係止金具(19)の両起立片(19b)の２個の係合溝(21)にまたがって、係合片(16b)を係合させているが、係合片(16b)の左右寸法を小として、いずれか一方の起立片(19b)の係合溝(21)に、左右に突き合わせたベース棚(13)(13)の一方の側端部の係合片(16b)を係合させ、他方の起立片(19b)の係合溝(21)に、他方のベース棚(13)の対向側部に設けた係合片(16b)を係合させるようにしてもよい。
【００３８】
図８に示すように、平板状の補強板(15)の後端より垂下する垂下片(27a)の下端に前向水平片(27b)を連設し、さらにその前端に、下向きの係合片(27c)を連設して、係合板(27)を、階段状断面形状としてもよく、このようにすれば、係止突部(22)に遊嵌される係止孔(17)(26)を省略しうるとともに、係合片(27c)を、係止突部(22)に妨げられることなく、係合溝(21)の垂下溝部(21c)内に上方より容易に嵌合することができる。
【００３９】
上記実施形態においては、係止金具(19)の係合溝(21)を、両起立片(19b)の上端部中央に階段状に形成してあるが、図９に示すように、後端が起立片(19b)の後縁に開口する水平溝部(28a)と垂下溝部(28b)とからなる下向き鉤形の係合溝(28)を、両起立片(19b)の後上方の隅部に形成してもよい。
【００４０】
また、係合片(16b)に代えて、ベース棚(13)の左右の側片(13a)(13a)の内面にピンを突設したり、平面視Ｌ字状の金具の一片を溶接したり、または側片(13a)より切り起こしたりして、係合片を形成してもよい。
【００４１】
【発明の効果】
請求項１記載の発明によれば、ベース棚の後部を、支柱側より前方に引き寄せつつ、係合片を係合溝の水平溝部を通って垂下溝部まで係合させ、その後、その状態で、ベース棚を後方に押動すると、係止具も後方にスライドして、係止具がベース脚の係合孔の前後の開口縁部と係合し、かつ、係合片は、垂下溝部内において後方及び上方へ移動するのが規制されているので、ベース棚の後端部が跳ね上がるのが防止され、ベース棚の前部をベース脚の前方に安定的に突出させることができる。
すなわち、一度係合片が係合溝の垂下溝部に係合すると、ベース棚の前後移動とともに、係止具も前後移動し、それらの係合関係が外れることがないので、安全性が高い。
また、正常の使用状態で、ベース棚の後方に空隙ができないようにすることができるので体裁がよい。
【００４２】
請求項２記載の発明によれば、係止具と係合孔との係合面積が増大するとともに、係合片と係止具との係合力が大となるので、ベース棚の跳ね上がりに対する拘束力が増大する。
【００４３】
請求項３及び４記載の発明によれば、係合片を、上方より容易に係合溝の垂下溝部まで係合させることができる。
【００４４】
請求項５記載の発明によれば、ベース棚の後方への移動が不能となるため、係合片も係合溝より離脱するのが阻止され、ベース棚の跳ね上がりが確実に防止される。
【００４５】
請求項６記載の発明によれば、係合片を簡単に形成することができる。
【図面の簡単な説明】
【図１】本発明の商品陳列棚の分解斜視図である。
【図２】同じく、ベース棚の右端部の一部切欠拡大斜視図である。
【図３】同じく、一方のベース脚とその係合孔に装着される係止金具の拡大斜視図である。
【図４】同じく、係止金具と係合片との拡大斜視図である。
【図５】同じく、ベース棚取付後において係止金具を前方に移動した状態の一部切欠拡大側面図である。
【図６】同じく、係止金具を後方に移動した状態の一部切欠拡大側面図である。
【図７】同じく、当て板及びその後端の係合片の変形例を示す斜視図である。
【図８】同じく、係合片の他の変形例と係止金具の係合溝との係合状態を示す縦断側面図である。
【図９】同じく、係止金具における係合溝の変形例を示す要部の外面図である。
【符号の説明】
(１)商品陳列棚
(２)支柱
(３)ベース脚
(４)係止孔
(５)アジャスタ
(６)上部連結杆
(７)下部連結杆
(８)係止孔
(９)キックプレート
(10)係止爪
(11)凹溝
(12)後面板
(13)ベース棚
(13a)側片
(14)切欠部
(15)補強板
(15a)垂下側片
(16)係合板
(16a)垂下片
(16b)係合片
(17)係止孔
(18)補強部材
(19)係止金具（係止具）
(19a)基片
(19b)起立片
(20)係合孔
(21)係合溝
(21a)垂直溝部
(21b)水平溝部
(21c)垂下溝部
(22)係止突部
(23)(24)スリット
(25)補強板
(25a)係合板
(25b)係合片
(26)係止孔
(27)係合片
(27a)垂下片
(27b)前向水平片
(27c)係合片
(28)係合溝
(28a)水平溝部
(28b)垂下溝部
【図１】
0004119163.tif 000002
【図２】
0004119163.tif 000003
【図３】
0004119163.tif 000004
【図４】
0004119163.tif 000005
【図５】
0004119163.tif 000006
【図６】
0004119163.tif 000007
【図７】
0004119163.tif 000008
【図８】
0004119163.tif 000009
【図９】
0004119163.tif 000010